(57)【要約】  【課題】  監視対象機器１の監視状態の切替の必要を生じたとき、スケジュール情報で管理情報のフィルタリング特性を自動変更させ、手動切替操作時の操作ミスをなくし、監視業務を継続実施させる障害監視システムを提供する。  【解決手段】  動作時に定期的に管理情報を出力する複数の監視対象機器１、複数の監視対象機器１から出力された各管理情報を所定条件でフィルタリングして異常を示す管理情報を障害情報として選択し、選択した障害情報を出力する監視機器２、監視機器２から出力された障害情報を受信する保守センター３を備えるもので、監視機器２で行う各管理情報に対する所定条件のフィルタリングは、監視対象機器１毎に設定した正常異常の判別に従って行われる第１のフィルタリングと、複数の監視対象機器１毎にそれらの稼動状態を示すステータス情報に基づいて第１のフィルタリングによる異常の判別の無効を判別する第２のフィルタリングとからなる。  【選択図】  図１
2006318036.tif 000002
【特許請求の範囲】
【請求項１】
ネットワークシステムに組み込まれ、動作時に定期的に管理情報を出力する複数の監視対象機器と、前記複数の監視対象機器から出力された各管理情報を所定条件でフィルタリングして異常を示す管理情報を障害情報として選択し、選択した障害情報を出力する監視機器と、前記監視機器から出力された障害情報を受信する保守センタとを備える障害監視システムにおいて、前記監視機器で行う各管理情報に対する所定条件のフィルタリングは、前記監視対象機器毎に設定した正常異常の判別に従って行われる第１のフィルタリングと、前記複数の監視対象機器毎にそれらの稼動状態を示すステータス情報に基づいて前記第１のフィルタリングによる異常の判別の無効を判別する第２のフィルタリングとからなるものであることを特徴とする障害監視システム。
【請求項２】
前記第１のフィルタリングは、前記監視対象機器毎に設定した正常異常を判別するフィルタリングの条件を格納したフィルタテーブルによってそのフィルタリング特性が設定され、前記第２のフィルタリングは、前記監視対象機器毎の稼動スケジュールにより変更されるステータス情報を格納した監視対象機器テーブルによってそのフィルタリング特性が設定されることを特徴とする請求項１に記載の障害監視システム。
【請求項３】
前記監視対象機器テーブルに格納されるステータス情報は、前記監視対象機器毎の稼動スケジュールの変更状態を格納したスケジュールテーブルによって定期的に変更されることを特徴とする請求項２に記載の障害監視システム。
【発明の詳細な説明】
【技術分野】
【０００１】
本発明は、障害監視システムに係り、特に、複数の監視対象機器の動作を監視対象機器から出力される管理情報により監視し、障害発生の有無を管理情報のフィルタリングによって判別する際に、フィルタリングの判別を複数の監視対象機器毎の稼動状況を示すスケジュール情報に対応して切替可能にした障害監視システムに関する。
【背景技術】
【０００２】
近年、企業や官庁または学校等の組織体（以下、これを企業等グループという）においては、企業等グループ内にネットワークシステムを構築し、企業等グループ内の各部署において行われている各種の業務をこのネットワークシステムを通してオンライン処理することが増えている。そして、この場合、ネットワークシステムに組み込まれる各種操作機器や業務サーバ等は、常時、企業等グループ内のいずれかの部署からもネットワークシステムの利用が可能になるように、無休稼動、すなわち２４時間かつ３６５日稼動が前提になりつつある。このように、各種操作機器や業務サーバ等が無休稼動されるようになると、稼動期間中、それらの動作状態を常時監視するための障害監視システムが必要になってくる。
【０００３】
一般に、ネットワークシステムに組み込まれる各種操作機器や業務サーバ等の動作を監視する障害監視システムとしては、ＳＮＭＰ（Ｓｉｍｐｌｅ  Ｎｅｔｗｏｒｋ  Ｍａｎａｇｅｍｅｎｔ  Ｐｒｏｔｏｃｏｌ）と呼ばれる監視エージェントと、その監視エージェントから通知される管理情報（Ｔｒａｐ）を収集するマネージャとを用いて障害監視するシステムが知られており、この他にも、既にいくつかの障害監視システムが提案されている。
【０００４】
その中の１つは、特開平０７−１８３９３２号公報に開示された階層型ネットワーク管理システムである。この階層型ネットワーク管理システムは、管理対象となる通信ネットワーク構成要素（管理オブジェクト）の管理や制御を行う複数のエージェントから通知される管理情報を一旦複数のサブマネージャに収集し、そのサブマネージャにおいて収集した管理情報の中から統合マネージャに通知すべき管理情報を抽出するためのフィルタリング処理を行い、それにより統合マネージャにはネットワーク全体を管理するために必要な情報だけを通知するようにしているものである。すなわち、各サブマネージャは、統合マネージャに通知すべき管理情報を選定するための選定条件を管理情報ベース（ＭＩＢ）内に記憶しておき、その選定条件に基づいて管理情報をフィルタリング処理することにより、その選定条件に合致するものだけを統合マネージャに通知しているものである。
【０００５】
この場合、各サブマネ−ジャが持つ管理情報ベースに格納される条件は、統合マネージャ側から変更できるようにし、ネットワーク構成の変更等に柔軟に対応できるような手法が採用されている。これにより、統合マネージャは、その負荷が軽減されるとともに、ネットワーク構成の変更に柔軟に対応することが可能になるものである。
【０００６】
また、この他にも、特開２００４−３２０２６７号公報に開示された障害通報システムである。この障害通報システムは、複数の被監視装置と、それぞれの被監視装置から出力された障害通知情報を選択抽出して障害情報を発生する障害通報装置と、障害情報が送信される保守センタとを備え、複数の被監視装置より通知される障害通知情報を登録・分析し、通報定義に設定された条件に基づいて保守センタへ通知する必要がある障害を抽出し、保守センタに障害情報を通報するための手法が定義付けられている。すなわち、複数の被監視装置から通知される障害通知情報を登録し、通報定義テーブルに記憶された保守センタへ通知すべき障害情報を決定する条件情報を用いて障害通知情報のフィルタリングを行い、条件に合致する障害通知情報のみを障害情報として保守センタへ通報するものである。これにより、複数の被監視装置より通知される障害通知情報の中で、定義中に決められている無視してもよい軽微な障害に関しては障害情報として保守センタへ通報されることがなく、保守センタ員の負担を軽減することができるものである。
【０００７】
このような既知の手段や既知のシステムを用いれば、分散配置される複数の監視対象機器（ネットワーク機器およびサーバ等）から通知される管理情報の中からより必要と思われる管理情報のみを統合監視装置（統合マネージャ）に収集し、収集した管理情報の中から即時対応が必要な障害の発生を知らせる管理情報の有無を判別し、判別した管理情報を保守センターに通報することによって、統合監視装置の負荷及び保守センター員の負担を軽減することが可能になる。
【特許文献１】特開平０７−１８３９３２号公報
【特許文献２】特開２００４−３２０２６７号公報
【発明の開示】
【発明が解決しようとする課題】
【０００８】
前記既知の手段や既知のシステムを用いた場合は、広範囲に分散配置される複数の監視対象機器からそれぞれ出力される管理情報の中から統合マネージャで管理する必要のある管理情報を抽出した後、それらの管理情報を一元管理し、さらに、一元管理した管理情報の中から保守対応を行う必要のある障害を含んだ管理情報だけを抽出し、抽出した管理情報を障害情報として保守センターに通報することが可能になるので、情報の監視や機器の保守に対する効率化を高めることが可能になる。
【０００９】
しかし、複数の監視対象機器を同時に運用させる場合には、通常、障害発生と判定される状況にあっても実際に障害が発生していない場合や、障害発生と判定する条件を適宜変更しなければならない事態を生じる場合がある。その一つの例は、監視対象機器に定期的な機器・アプリケーションのメンテナンス業務の実施時期が到来したときであり、他の一つの例は、システムの構築・変更作業に伴うシステムダウンが発生したとき等である。このようなメンテナンス業務や構築・変更作業が実施されるときには、その監視対象機器の動作を停止させたり、監視対象機器のアプリケーションの稼動を停止させたりすることが生じる。ところで、監視対象機器の動作の停止やアプリケーションの稼動の停止は、通常、障害発生と判断される事象であるが、メンテナンス業務や構築・変更作業の実施時には、意図的に監視対象機器の動作やアプリケーションの稼動を停止させるものであるため、このような事象が発生した時でも、必ずしも障害の発生であると断定することはできない。
【００１０】
このような状況になったとき、当該監視対象機器に対して通常通りの監視業務を行っていたとすれば、メンテナンス業務や構築・変更作業の実施により当該監視対象機器の動作を意図的に停止させると、当該監視対象機器から出力される管理情報に障害の発生を示す内容が付加され、障害が発生していないのに障害が発生したとの誤報を発生してしまうことになる。このため、現状では、監視対象機器に対してメンテナンス業務や構築・変更作業を実施する際には、その監視対象機器の監視業務を一時停止させ、メンテナンス業務や構築・変更作業が終了した後で、その監視対象機器の監視業務を再開するという手段を採用して誤報の発生を抑止している。しかし、監視対象機器の監視業務の停止・再開の処理操作は、通常、人手によるものであるため、監視業務運用者にとって負担になることがあり、また、メンテナンス業務や構築・変更作業が終了した後、監視再開の処理操作をするのを忘れてしまう危険性がある。
【００１１】
さらに、監視対象機器に対してメンテナンス業務や構築・変更作業を実施するとき等には、通常運用時における障害検出の条件を用いるのでなく、当該メンテナンス業務や構築・変更作業の実施期間内には、通常運用時における障害検出の条件と異なる限定された障害検出の条件を設定しなければならない場合もある。現状では、このような事態に対応できるように、通常運用時における障害検出の条件の他に、通常運用時と異なる障害検出の条件を別途用意しておき、当該メンテナンス業務や構築・変更作業の実施期間内になると、通常運用時と異なる障害検出の条件が有効になり、通常運用時における障害検出の条件が無効になるように切替えるようにしている。
【００１２】
しかし、このような障害検出の条件を切替える処理操作は、監視業務運用者が手動によって行うものであるため、監視業務運用者にとってその操作が負担になることがあり、また、メンテナンス業務や構築・変更作業が終了した後、障害検出の条件を切替える操作を忘れたり、障害検出の条件の戻し操作を忘れたりする等の操作ミスの発生を招く危険性がある。
【００１３】
本発明は、このような技術的背景に鑑みてなされたもので、その目的は、監視対象機器の監視状態を切替える必要を生じたとき、スケジュール情報により管理情報のフィルタリング特性を自動変更させ、手動切替操作による操作ミスをなくし、かつ、監視業務を継続実施するようにした障害監視システムを提供することにある。
【課題を解決するための手段】
【００１４】
前記目的を達成するために、本発明による障害監視システムは、ネットワークシステムに組み込まれ、動作時に定期的に管理情報を出力する複数の監視対象機器と、複数の監視対象機器から出力された各管理情報を所定条件でフィルタリングして異常を示す管理情報を障害情報として選択し、選択した障害情報を出力する監視機器と、監視機器から出力された障害情報を受信する保守センタとを備えるものであって、監視機器で行う各管理情報に対する所定条件のフィルタリングは、監視対象機器毎に設定した正常異常の判別に従って行われる第１のフィルタリングと、複数の監視対象機器毎にそれらの稼動状態を示すステータス情報に基づいて第１のフィルタリングによる異常の判別の無効を判別する第２のフィルタリングとからなる手段を具備する。
【００１５】
前記手段において、第１のフィルタリングは、監視対象機器毎に設定した正常異常を判別するフィルタリングの条件を格納したフィルタテーブルによってそのフィルタリング特性が設定され、第２のフィルタリングは、監視対象機器毎の稼動スケジュールにより変更されるステータス情報を格納した監視対象機器テーブルによってそのフィルタリング特性が設定される具体的手段を具備する。
【００１６】
前記具体的手段における監視対象機器テーブルに格納されるステータス情報は、監視対象機器毎の稼動スケジュールの変更状態を格納したスケジュールテーブルによって定期的に変更されるものである。
【発明の効果】
【００１７】
以上のように、本発明の障害監視システムによれば、監視対象機器のメンテナンス等の実施時期が到来し、それにより当該監視対象機器における通常運用時の事象と異なる事象になった場合であっても、その異なる事象をステータス情報として表わすことにより、自動的にその異なる事象への対応が可能になるとともに、当該監視対象機器における障害監視の停止・再開の切替時に行われる手動切替操作を不要にしたので、その分、運用者の作業負担を軽減することができるという効果がある。
【００１８】
また、本発明の障害監視システムによれば、フィルタリング特性の設定変更を自動的に切替えるようにして、手動切替操作によるフィルタリング特性の設定変更の際の操作ミスの発生を軽減することができ、しかも、監視対象機器からの管理情報のフィルタリングを、フィルタリング実行条件であるフィルタリング定義とステータス情報に基づくステータス定義との組み合わせたフィルタリング特性を使用することにより、監視対象機器毎に当該フィルタリング特性を迅速かつ適確に変更することが可能になり、障害監視時の質の向上を図ることができるという効果がある。
【発明を実施するための最良の形態】
【００１９】
以下、本発明の障害監視システムの実施の形態を図面を参照して説明する。
【００２０】
図１は、本発明の一つの実施の形態であって、監視対象機器から定期的に収集した管理情報を当該監視対象機器のステータス情報に対応したフィルタリング特性によってフィルタリングが行われる監視システムの一例を示すブロック構成図である。
【００２１】
図１に示すように、本発明による障害監視システムは、複数の監視対象機器１と、監視装置２と、保守センター３とからなっている。この場合、監視装置２は、制御部４と、管理情報入力部５と、障害抽出フィルタ部６と、障害情報通知部７と、フィルタ定義編集部８と、監視対象機器情報編集部９と、スケジュール管理部１０と、フィルタテーブル１１と、監視対象機器テーブル１２と、スケジュールテーブル１３とを備えており、保守センター３は、障害通報装置１４を備えている。
【００２２】
そして、監視装置２において、管理情報入力部５は、入力端が複数の監視対象機器１にそれぞれ選択結合され、出力が障害抽出フィルタ部６の入力端に接続される。障害抽出フィルタ部６は、出力端が障害情報通知部７の入力端に接続され、制御入力端がフィルタテーブル１１と監視対象機器テーブル１２にそれぞれ接続される。障害情報通知部７は、出力端が保守センタ３の障害通報装置１４に選択結合される。フィルタ定義編集部８は、出力端がフィルタテーブル１１に接続される。監視対象機器情報編集部９は、監視対象機器テーブル１２とスケジュールテーブル１３に接続される。スケジュール管理部１０は、入力端がスケジュールテーブル１３に接続され、出力端が監視対象機器テーブル１２に接続される。また、図１にはその接続状態が図示されていないが、制御部４は、監視装置２を構成するそれぞれの構成要素５乃至１３に対して、それら構成要素５乃至１３の動作を統括制御するように結合されている。
【００２３】
ここで、図２乃至図４は、図１に図示された監視装置２に用いられるフィルタテーブル、監視対象機器テーブル、スケジュールテーブルに格納される項目の一例を示すもので、図２はフィルタテーブル１１の格納項目の一例を示す説明図であり、図３は監視対象機器テーブル１２の格納項目の一例を示す説明図であり、図４はスケジュールテーブル１３の格納項目の一例を示す説明図である。
【００２４】
図２に示されるように、フィルタテーブル１１は、格納項目としてフィルタ条件１１（１）、対象機器識別情報１１（２）、フィルタタイプ１１（３）を表した情報格納箇所を有している。この場合、フィルタ条件１１（１）は、監視対象機器１から受信した管理情報にどのような情報内容（文字やＩＤ等）が含まれておれば、障害の発生を示す情報であるかの定義項目である。対象機器識別情報１１（２）は、監視対象となる監視対象機器１に付与された識別情報（ＩＰアドレス等）の登録項目であって、この項目に監視対象機器が登録されていない場合、当該フィルタ条件が全ての監視対象機器１に適用されることを意味する。フィルタタイプ１１（３）は、項目フィルタ条件１１（１）を実行する際の動作パターンの設定項目であって、この場合のフィルタ条件１１（１）を実行する際の動作パターンとは、例えば、「監視対象機器が通常稼動状態であれば実行する」「監視対象機器が通常稼動状態であれば実行しない」、「監視対象機器がメンテナンス中であれば実行する」「監視対象機器がメンテナンス中であれば実行しない」等である。
【００２５】
また、図３に示されるように、監視対象機器テーブル１２は、格納項目として対象機器識別情報１２（１）、ステータス１２（２）を表した情報格納箇所を有している。この場合、対象機器識別情報１２（１）は、監視対象となる監視対象機器１に付与された識別情報（ＩＰアドレス等）の登録項目である。ステータス１２（２）は、後述するスケジュール管理部１の制御の基に対象機器識別情報１２（１）に識別情報が格納されている監視対象機器１の稼動状態の設定項目であって、この場合に設定されている稼動状態とは、例えば、「通常稼動中」、「メンテナンス中」等である。
【００２６】
さらに、図４に示されるように、スケジュールテーブル１３は、格納項目として対象機器識別情報１３（１）、ステータス変更運用開始日時１３（２）、ステータス変更運用終了日時１３（３）ステータス１３（４）を表した情報格納箇所を有している。この場合、対象機器識別情報１２（１）は、監視対象となる監視対象機器１を付与された識別情報（ＩＰアドレス等）の登録項目であり、ステータス変更運用開始日時１３（２）は、監視対象機器１毎にメンテナンスの実行予定等によりステータス変更の運用を開始させる日時の設定項目であり、ステータス変更運用終了日時１３（３）は、監視対象機器１毎にメンテナンスの実行終了等によりステータス変更の運用を終了させる日時の設定項目であり、ステータス１３（４）は、対象機器識別情報１３（１）に識別情報が格納されている監視対象機器１のステータス状態の設定項目であって、後述するように、これらの項目の設定内容によりスケジュール管理部１の制御状態が変更されるものである。
【００２７】
以下、図１に図示されたこの実施の形態よる監視装置２の動作について説明する。この場合、監視装置２における各構成要素５乃至１３は、制御部４の制御の基に動作するものである。
【００２８】
複数の監視対象機器１から当該監視対象機器１の動作状態を表す管理情報が定期的に出力されると、それらの管理情報は、管理情報入力部５に供給される。このとき、管理情報入力部５は、入力された管理情報を受信し、受信管理情報を内部メモリ（図示なし）に一時記憶した後、内部メモリから読み出されて障害抽出フィルタ部６に供給する。
【００２９】
障害抽出フィルタ部６は、管理情報が供給されると、フィルタテーブル１１に格納されている当該管理情報についての判別基準に基づいて正常な管理情報であるか障害情報であるかを判別する（以下、これを第１の判別という）とともに、監視対象機器テーブル１２及びスケジュールテーブル１３に格納されている当該管理情報に対応したスケジュール情報に基づいて第１の判別が正確であるか不正確であるかを判別する（以下、これを第２の判別という）。これら第１及び第２の判別は、監視対象となる１つの管理情報について、第１の判別によって障害情報であると判別したときでも、第２の判別によってその障害情報が不正確であると判別したときは、その管理情報が障害情報であるという第１の判別を無効にし、その管理情報が正常管理情報であるとの判別をする。このように、障害抽出フィルタ部６は、供給された管理情報毎に正常管理情報であるか障害情報であるかを判別し、管理情報の中で障害情報と判別したものだけを選択抽出し、選択抽出した管理情報を障害情報として障害情報通知部７に供給する。
【００３０】
障害情報通知部７は、障害抽出フィルタ部６から管理情報が供給されると、その管理情報を障害情報の形式に修正し、形成した障害情報を保守センター３の障害通報装置１４に通報する。保守センター３は、障害通報装置１４が障害情報の通報を受けると、通報された障害情報に基づいて、保守センター３の保守員が直ちに障害発生箇所や障害内容等を知ることができ、その障害発生に対して迅速な処理を行うことが可能になる。
【００３１】
この場合、障害抽出フィルタ部６で実行される管理情報のフィルタリングは、前述のように、フィルタテーブル１１及び監視対象機器テーブル１２に格納されている各種項目に示されている条件に従って実施される。この場合、フィルタテーブル１１に格納されている各種項目の条件の登録・編集・削除は、監視装置２の運用者がフィルタ定義編集部８を用いた操作作業により随時実行することが可能である。同じように、監視対象機器テーブル１２に格納されている各種項目の条件の登録・編集・削除も、監視装置２の運用者が監視対象機器情報編集部９を用いた操作作業により随時実行することが可能なものである。
【００３２】
また、いずれかの監視対象機器１に対する定期検査やメンテナンス作業等の実施時期が設定され、その設定期間内だけ障害抽出フィルタ部６のフィルタリング特性を切替える必要が発生した場合に、監視装置２の運用者が監視対象機器情報編集部９を用いた操作作業を行うと、当該監視対象機器１に対するステータス変更スケジュールの事前登録を行うことが可能になる。
【００３３】
すなわち、監視装置２の運用者が監視対象機器情報編集部９を用いた操作作業を行い、当該監視対象機器１に対して通常運用時のステータスと異なるステータスに変更すべき日時を設定すると、その設定内容を表すスケジュール情報がスケジュールテーブル８に格納される。このとき、スケジュール管理部１０は、定期的にスケジュールテーブル１３の格納内容を検索し、その検索時に格納内容が通常の内容と異なっていたことを確認すると、その格納内容に従って監視対象機器テーブル１２のステータスの更新を実施する。これにより、監視対象機器テーブル１２は、当該監視対象機器１の定期検査やメンテナンス作業等が実施される期間だけ、当該監視対象機器１における障害抽出フィルタ部６のフィルタリング特性の切替えを行うことが可能になり、本来、当該監視対象機器１の動作に障害が発生していないのに、障害が発生していると判定されることがなくなり、しかも、定期検査やメンテナンス作業等が実施される期間を経過すれば、自動的に当該監視対象機器１における障害抽出フィルタ部６のフィルタリング特性を自動的に元のフィルタリング特性に復帰させることができる。
【００３４】
次に、図５は、監視機器２の障害抽出フィルタ部６で実行される管理情報に対するフィルタリング処理手順を示すフローチャートである。
【００３５】
このフローチャートを用い、障害抽出フィルタ部６で実行される管理情報に対するフィルタリング処理について説明する。
【００３６】
この障害情報に対するフィルタリング処理は、第１の処理及び第２の処理の２つの処理からなり立っている。
【００３７】
その第１の処理は、フィルタリング処理の対象となる管理情報を送信した監視対象機器（以下、これを通知元監視対象機器という）１が監視対象機器テーブル１２に識別情報（ＩＰアドレス等）が登録されていることを確認する監視対象機器フィルタリング処理手段であり、その第２の処理は、通知元監視対象機器１を送信した管理情報に障害通知内容（障害と定義される事象）が含まれているか否かを確認する管理情報フィルタリング処理手段である。
【００３８】
始めに、ステップＳ１において、制御部４は、１つの監視対象機器１から管理情報入力部５に管理情報が供給されると、その管理情報を管理情報入力部５で受信する。
【００３９】
次に、ステップＳ２において、制御部４は、管理情報入力部５が受信した管理情報からその管理情報を送信した通知元監視対象機器１を表す対象機器識別情報（Ａ）を取得する。
【００４０】
次いで、ステップＳ３において、制御部４は、監視対象機器テーブル１２に登録されている対象機器識別情報（Ｂ）を取得する。この場合、対象機器識別情報（Ｂ）を取得は、監視対象機器テーブル１２における対象機器識別情報の登録数分だけ順番に繰り返し実行される。
【００４１】
続いて、ステップＳ４において、制御部４は、監視対象機器テーブル１２に登録されている最初の対象機器識別情報（Ｂ）を取得する。
【００４２】
続く、ステップＳ５において、制御部４は、通知元監視対象機器１を表す対象機器識別情報（Ａ）と監視対象機器テーブル１２に登録されている最初に取得した対象機器識別情報（Ｂ）とが一致するか否かを判断する。そして、これらの対象機器識別情報（Ａ）と対象機器識別情報（Ｂ）とが一致すると判断した（Ｙ）ときは次のステップＳ６に移行し、一方、これらの対象機器識別情報（Ａ）と対象機器識別情報（Ｂ）とが一致しないと判断した（Ｎ）ときは前のステップＳ３に移行する。
【００４３】
次に、ステップＳ６において、制御部４は、監視対象機器テーブル１２のステータス項目１２（２）に格納されているステータス（Ｃ）を取得する。このステータス（Ｃ）の取得が終了すると、それに続いて図６に図示された通知情報フィルタ処理手段に移行する。
【００４４】
次いで、前のステップＳ３において、制御部４は、監視対象機器テーブル１２に登録されている対象機器識別情報（Ａ）の取得を、監視対象機器テーブル１２の対象機器識別情報の登録数分だけ次々に繰り返し実行する。
【００４５】
続いて、ステップＳ４において、制御部４は、監視対象機器テーブル１２に登録されている２番目（次）の対象機器識別情報（Ｂ）を取得する。
【００４６】
続く、ステップＳ５において、制御部４は、通知元監視対象機器１を表す対象機器識別情報（Ａ）と監視対象機器テーブル１２に登録されている２番目（次）に取得した対象機器識別情報（Ｂ）とが一致するか否かを判断する。そして、これらの対象機器識別情報（Ａ）と対象機器識別情報（Ｂ）とが一致すると判断した（Ｙ）ときは次のステップＳ６に移行し、一方、これらの対象機器識別情報（Ａ）と対象機器識別情報（Ｂ）とが一致しないと判断した（Ｎ）ときは再び前のステップＳ３に移行する。この場合、かかるステップＳ３乃至ステップＳ５の再実行は、対象機器識別情報（Ａ）と対象機器識別情報（Ｂ）とが一致するまで、監視対象機器テーブル１２の対象機器識別情報の登録数分だけ順番に繰り返し実行される。
【００４７】
次に、ステップＳ７において、制御部４は、対象機器識別情報（Ａ）と一致する対象機器識別情報（Ｂ）が得られないので、当該対象機器識別情報（Ａ）を含んだ管理情報は正規の情報でないと判断し、この管理情報を廃棄する。この処理が終了すると、この一連の処理を終了させる。
【００４８】
また、図６は、監視機器２において実行されるフィルタリング処理時の通知情報の処理手順を示すフローチャートである。
【００４９】
このフローチャートを用い、障害抽出フィルタ部６で実行されるフィルタリング処理時の通知情報の処理手順について説明する。
【００５０】
まず、ステップＳ８において、制御部４は、管理情報入力部５で受信した管理情報に含まれる通知内容（Ｄ）を取得する。
【００５１】
次に、ステップＳ９において、制御部４は、フィルタテーブル１１の対象機器識別情報の項目１１（２）に登録されている対象機器識別情報（Ｅ）を取得する。この場合、対象機器識別情報（Ｅ）を取得は、フィルタテーブル１１における対象機器識別情報の登録数分だけ順番に繰り返し実行される。
【００５２】
次いで、ステップＳ１０において、制御部４は、フィルタテーブル１１に登録されている最初の対象機器識別情報（Ｅ）を取得する。
【００５３】
続いて、ステップＳ１１において、制御部４は、フィルタテーブル１１から取得した対象機器識別情報（Ｅ）が指定なし（監視対象機器１の指定がなく、全ての監視対象機器１にフィルタ条件の項目１１（１）が適用される）であるかまたは通知元監視対象機器１を表す対象機器識別情報（Ａ）と監視対象機器テーブル１２に登録されている最初に取得した対象機器識別情報（Ｅ）とが一致しているか否かを判断する。そして、対象機器識別情報（Ｅ）が指定なしであるまたは対象機器識別情報（Ａ）と対象機器識別情報（Ｅ）とが一致していると判断した（Ｙ）ときは前のステップＳ９に移行し、一方、対象機器識別情報（Ｅ）が指定ありであるかまたは対象機器識別情報（Ａ）と対象機器識別情報（Ｅ）とが一致していないと判断した（Ｎ）ときは次のステップＳ１２に移行する。
【００５４】
続く、ステップＳ１２において、制御部４は、フィルタテーブル１１のフィルタタイプの項目１１（３）の設定条件（Ｆ）を取得する。
【００５５】
次に、ステップＳ１３において、制御部４は、受信した管理情報に含まれる通知内容（Ｄ）とフィルタタイプの項目１１（３）の設定条件（Ｆ）とが合致していないか否かを判断する。そして、通知内容（Ｄ）と設定条件（Ｆ）とが合致していないと判断した（Ｙ）ときは前のステップＳ９に移行し、一方、通知内容（Ｄ）と設定条件（Ｆ）とが合致していると判断した（Ｎ）ときは次のステップＳ１４に移行する。
【００５６】
次いで、ステップＳ１４において、制御部４は、フィルタテーブル１１のフィルタ条件の項目１１（１）の設定条件（Ｇ）を取得する。
【００５７】
続いて、ステップＳ１５において、制御部４は、受信した管理情報に含まれる通知内容（Ｄ）とフィルタタイプの項目１１（１）の設定条件（Ｇ）とが一致しているまたは設定条件（Ｇ）に通知内容（Ｄ）が含まれているか否かを判断する。そして、通知内容（Ｄ）と設定条件（Ｇ）とが一致しているまたは設定条件（Ｇ）に通知内容（Ｄ）が含まれていると判断した（Ｙ）ときは図７に図示された監視対象機器テーブルの更新処理手順に移行し、一方、通知内容（Ｄ）と設定条件（Ｇ）とが一致していないまたは設定条件（Ｇ）に通知内容（Ｄ）が含まれていないと判断した（Ｎ）ときは前のステップＳ９に移行する。
【００５８】
続く、ステップＳ９において、制御部４は、フィルタテーブル１１の対象機器識別情報の項目１１（２）に登録されている対象機器識別情報（Ｅ）の取得を、フィルタテーブル１１のの対象機器識別情報の登録数分だけ次々に繰り返し実行する。
【００５９】
ステップＳ９の後、それに続くステップＳ１０乃至ステップＳ１５の再実行は、通知内容（Ｄ）と設定条件（Ｇ）とが一致しているまたは設定条件（Ｇ）に通知内容（Ｄ）を含んでいると判断されるまで、フィルタテーブル１１の対象機器識別情報の登録数分だけ順番に繰り返し実行される。
【００６０】
次に、ステップＳ１６において、制御部４は、通知内容（Ｄ）と設定条件（Ｇ）とが一致しているものまたは設定条件（Ｇ）に通知内容（Ｄ）が含まれているものが得られないので、当該管理情報は障害の通知内容を表すものでないと判断し、この管理情報を廃棄する。この処理が終了すると、一連の処理を終了させる。
【００６１】
さらに、図７は、監視機器２において実行される監視対象機器１のステータス変更スケジュールの登録に基づいて監視対象機器テーブル１２の格納内容の更新処理手順を示すフローチャートである。
【００６２】
このフローチャートを用い、監視対象機器テーブル１２の格納内容を更新処理する手順について説明する。
【００６３】
なお、このフローチャートを実行するに先立って、監視装置２の運用者は、事前に判明している監視対象機器１のステータス変更スケジュールを監視対象機器情報編集部１９の操作によって編集することができるもので、当該監視対象機器１に対するスケジュ−ル情報が監視対象機器情報編集部１９の操作によってスケジュールテーブル１３に登録される。スケジュールテーブル１３に登録されたスケジュ−ル情報は、制御部４の制御によりスケジュール管理部１０が定期的にその格納内容を検出し、その検出によって格納内容が更新されている場合、その更新内容に合うように監視対象機器テーブル１２の対応する格納内容が自動更新される。
【００６４】
始めに、ステップＳ１７において、制御部４は、スケジュールテーブル１３の格納内容を検出したとき、その検出を行った日時、すなわち現在の日時を取得する。
【００６５】
次に、ステップＳ１８において、制御部４は、取得した現在の日時とステータス変更適用開始日時の項目１２（２）及びステータス変更適用終了日時の項目１２（３）に格納されている各日時とを比較し、ステータス変更の必要があるスケジュール情報（Ｈ）の抽出を監視対象機器テーブル１２の対象機器識別情報の項目１２（１）の登録数分だけ繰り返し実行する。
【００６６】
次いで、ステップＳ１９において、制御部４は、最初のステータス変更の必要があるスケジュール情報（Ｈ）を抽出する。
【００６７】
続く、ステップＳ２０において、制御部４は、監視対象機器テーブル１２の対象機器識別情報（Ｉ）を監視対象機器情報の項目１２（１）の登録数分だけ繰り返し取得する。
【００６８】
続いて、ステップＳ２１において、制御部４は、監視対象機器テーブル１２の最初の対象機器識別情報（Ｉ）を取得する。
【００６９】
次に、ステップＳ２２において、制御部４は、ステータス変更の必要があるスケジュール情報（Ｈ）から抽出した最初の対象機器識別情報と監視対象機器テーブル１２の最初の監視対象機器識別情報（Ｉ）とを比較する。この比較において、スケジュール情報（Ｈ）から抽出した対象機器識別情報と監視対象機器テーブル１２の最初の監視対象機器識別情報（Ｉ）とが一致していると判断した（Ｙ）ときは次のステップＳ２３に移行し、一方、スケジュール情報（Ｈ）から抽出した対象機器識別情報と監視対象機器テーブル１３の最初の監視対象機器識別情報（Ｉ）とが一致していないと判断した（Ｎ）ときは前のステップＳ２０に移行する。
【００７０】
次いで、ステップＳ２３において、制御部４は、当該スケジュール情報（Ｈ）に対応する監視対象機器１の対象機器識別情報（Ｉ）が監視対象機器テーブル１２に登録されているので、この監視対象機器テーブル１２のステータスの項目１２（２）の格納内容をスケジュ−ルテーブル１３のステータスの項目１３（４）の格納内容に一致するように変更設定する。この場合、現在の日時がステータス変更適用終了日時の項目１３（３）の日時より経過していた場合は、ステータスの項目１２（２）の格納内容を以前に設定してあった格納内容に戻し、その変更設定を行わない。この処理が終了すると、前のステップＳ１８に移行する。
【００７１】
続く、ステップＳ２０において、制御部４は、監視対象機器テーブル１２の対象機器識別情報（Ｉ）を監視対象機器情報の項目１２（１）の登録数分だけ繰り返し取得する。
【００７２】
その後、ステップＳ１８において、ステータス変更の必要があるスケジュール情報（Ｈ）の抽出を監視対象機器テーブル１２の対象機器識別情報の項目１２（１）の登録数分だけ繰り返し実行する。
【００７３】
ステップＳ１８に続くステップＳ１９乃至ステップＳ２３の再実行、及び、ステップＳ２０に続くステップＳ２１乃至ステップＳ２３の再実行は、ステップＳ２２の比較条件が満たされるまで、それぞれスケジュールテーブル１３における対象機器識別情報の項目１３（１）の登録数分及び監視対象機器テーブル１２の対象機器識別情報の項目１２（１）の登録数分だけ繰り返し実行され、その後、この一連の処理が終了する。
【図面の簡単な説明】
【００７４】
【図１】本発明の一つの実施の形態であって、障害監視システムの構成の一例を示すブロック図である。
【図２】図１に図示の障害監視システムに用いられるフィルタテーブルの格納項目の一例を示す説明図である。
【図３】図１に図示の障害監視システムに用いられる監視対象機器テーブルの格納項目の一例を示す説明図である。
【図４】図１に図示の障害監視システムに用いられるスケジュールテーブルの格納項目の一例を示す説明図である。
【図５】監視機器における障害抽出フィルタ部で実行される管理情報に対するフィルタリング処理手順を示すフローチャートである。
【図６】監視機器における障害抽出フィルタ部で実行されるフィルタリング処理時の通知情報の処理手順を示すフローチャートである。
【図７】監視機器における監視対象機器のステータス変更スケジュールの登録に基づいて監視対象機器テーブルの更新処理手順を示すフローチャートである。
【符号の説明】
【００７５】
１  監視対象機器
２  監視機器
３  保守センター
４  制御部
５  管理情報入力部
６  障害抽出フィルタ部
７  障害情報通知部
８  フィルタテーブル編集部
９  監視対象機器情報編集部
１０  スケジュ−ル管理部
１１  フィルタテーブル
１１（１）  フィルタ条件
１１（２）、１２（１）、１３（１）  対象機器識別情報
１１（３）  フィルタタイプ
１２  監視対象機器テーブル
１２（２）、１３（４）  ステータス
１３  スケジュールテーブル
１３（２）  ステータス変更適用開始日時
１３（３）  ステータス変更適用終了日時
１４  障害通報装置
【図１】
2006318036.tif 000003
【図２】
2006318036.tif 000004
【図３】
2006318036.tif 000005
【図４】
2006318036.tif 000006
【図５】
2006318036.tif 000007
【図６】
2006318036.tif 000008
【図７】
2006318036.tif 000009